(57)【要約】【課題】  簡単な構成でシート体の反転を防止でき、コストを削減できる、搬送装置を提供する。【解決手段】  写真処理装置１０は、プリントＰを矢印Ａ１方向に搬送する搬送部１６を備える。搬送部１６は、第１ローラ１８、第１ローラ１８よりも小さな径を有する第２ローラ２０、第１ローラ１８と第２ローラ２０とを連結するベルト２２を含む。第１ローラ１８と第２ローラ２０とは中心の高さが一致するように位置決めされる。第２ローラ２０の径は第１ローラ１８の径よりも小さいので、第２ローラ２０の頂部Ｔ２は第１ローラ１８の頂部Ｔ１よりも低くなり、ベルト２２の上面２８は上流側から下流側にかけて下方に傾斜する。【選択図】      図２
2006327799.tif 000002
【特許請求の範囲】
【請求項１】
シート体を搬送するための搬送装置であって、
第１ローラ、
前記第１ローラとは異なる径を有しかつその頂部が前記第１ローラの頂部よりも低くなるように前記第１ローラの横側に設けられる第２ローラ、および
前記第１ローラと前記第２ローラとを連結しその上面に載置される前記シート体を搬送するベルトを備える、搬送装置。
【請求項２】
前記第２ローラの径は前記第１ローラの径よりも小さく設定されかつ前記第１ローラと前記第２ローラとは中心の高さが一致するように配置される、請求項１に記載の搬送装置。
【請求項３】
シート体を搬送するための搬送装置であって、
第１ローラ、
前記第１ローラと同径に形成されかつその中心が前記第１ローラの中心よりも低くなるように前記第１ローラの横側の所定の位置に予め設けられる第２ローラ、および
前記第１ローラと前記第２ローラとを連結しその上面に載置される前記シート体を搬送するベルトを備える、搬送装置。
【発明の詳細な説明】
【技術分野】
【０００１】
この発明は搬送装置に関し、より特定的には、シート体を搬送するための搬送装置に関する。
【背景技術】
【０００２】
一般に、２つのローラをベルトで連結しローラを回転させることによってベルトの上面に載置されるシート体を搬送する搬送装置が用いられている。通常、このような搬送装置では、図５（ａ）に示すように、その上面が水平になるようにベルト１が設けられる。このために、下方に湾曲するように反りが生じたシート体を搬送する場合、加速されるシート体にはその上流側端部を搬送方向の反対側に押す力が加えられ、図５（ｂ）に示すように、シート体の下流側端部が浮き上がり、ひいてはシート体の裏表が反転してしまうおそれがあった。
【０００３】
ところで、非特許文献１には下流側のローラが揺動可能に設けられる搬送装置が開示されている。非特許文献１の搬送装置では、ベルトの上面を上流側から下流側にかけて下方に傾斜させることによって、配置直後の状態においてベルト上のシート体の重心が下流側に設定されるので、シート体が反っていても反転を防止できる。
【非特許文献１】公技番号２００４−５０４５７３
【発明の開示】
【発明が解決しようとする課題】
【０００４】
しかし、非特許文献１の搬送装置では、ローラを揺動させる手段やローラの揺動を規制する手段が必要であるために、構成が複雑になり、コストが嵩むという問題があった。
それゆえに、この発明の主たる目的は、簡単な構成でシート体の反転を防止でき、コストを削減できる、搬送装置を提供することである。
【課題を解決するための手段】
【０００５】
上述の目的を達成するために、請求項１に記載の搬送装置は、シート体を搬送するための搬送装置であって、第１ローラ、第１ローラとは異なる径を有しかつその頂部が第１ローラの頂部よりも低くなるように第１ローラの横側に設けられる第２ローラ、および第１ローラと第２ローラとを連結しその上面に載置されるシート体を搬送するベルトを備える。
【０００６】
請求項２に記載の搬送装置は、請求項１に記載の搬送装置において、第２ローラの径は第１ローラの径よりも小さく設定されかつ第１ローラと第２ローラとは中心の高さが一致するように配置されることを特徴とする。
【０００７】
請求項３に記載の搬送装置は、シート体を搬送するための搬送装置であって、第１ローラ、第１ローラと同径に形成されかつその中心が第１ローラの中心よりも低くなるように第１ローラの横側の所定の位置に予め設けられる第２ローラ、および第１ローラと第２ローラとを連結しその上面に載置されるシート体を搬送するベルトを備える。
【０００８】
請求項１に記載の搬送装置では、第２ローラが第１ローラとは異なる径を有しかつその頂部が第１ローラの頂部よりも低くなるように第１ローラの横側に位置決めされる。これによって、搬送経路であるベルトの上面を上流側から下流側にかけて下方に傾斜させることができる。このように、ローラを揺動させずともベルトの上面を傾斜させることができるので、簡単な構成でシート体の反転を防止でき、装置のコストを削減できる。
【０００９】
一般に、第１ローラと第２ローラとをベルトによって連結する搬送装置では、中心の高さが一致するように第１ローラと第２ローラとを配置するものが広く用いられている。請求項２に記載するように第２ローラの径を第１ローラの径よりも小さく設定することによって、第１ローラの中心と第２ローラの中心との高さが一致する場合であっても、つまり既存のローラの位置であってもベルトの上面を傾斜させることができる。したがって、既存の設計を変更することなく簡単にシート体の反転を防止できる。
【００１０】
請求項３に記載の搬送装置では、第２ローラの中心が第１ローラの中心よりも低くなるように同径の第１ローラと第２ローラとを予め位置決めしておくだけで、ローラを揺動させずともベルトの上面を傾斜させることができ、簡単な構成でシート体の反転を防止できる。
【発明の効果】
【００１１】
この発明によれば、簡単な構成でシート体の反転を防止でき、コストを削減できる、搬送装置が得られる。
【発明を実施するための最良の形態】
【００１２】
以下、図面を参照して、この発明の実施の形態について説明する。
ここでは、この発明の搬送装置を写真処理装置１０に適用する場合について説明する。
写真処理装置１０は、短尺（単票形式）の銀塩印画紙に画像露光処理、現像処理および乾燥処理を順に施すことによってプリントＰを作製する。ここでは、プリント（画像形成済みの銀塩印画紙）Ｐがシート体に相当し、写真処理装置１０においてプリントＰを搬送する場合について説明する。
【００１３】
図１を参照して、写真処理装置１０は、プリントＰを排出する排出部１２、プリントＰをたとえば注文毎に仕分けるソータ１４、および排出部１２から排出されるプリントＰを所定の搬送方向（矢印Ａ１方向）に搬送しソータ１４に与える搬送部１６を備える。
【００１４】
搬送装置の一例である搬送部１６は、所定の位置に設けられる第１ローラ１８、第１ローラ１８の横側で所定の位置に設けられ第１ローラ１８よりも小さな径（端面の直径）を有する第２ローラ２０、第１ローラ１８と第２ローラ２０とを連結するベルト２２、および排出部１２内に設けられる図示しないモータを含む。
【００１５】
円柱状の第１ローラ１８はその軸方向が排出部１２の前面１２ａに対して直角に延びるように設けられ、円柱状の第２ローラ２０は第１ローラ１８の横側（ここでは右横側）でその軸方向が排出部１２の前面１２ａに対して直角に延びるように設けられる。図２（ａ）をも参照して、第１ローラ１８は、第１ローラ１８の中央を嵌通して排出部１２の前面１２ａに突入し、排出部１２内のモータによって回転される回転軸２４を有する。同様に、第２ローラ２０は、第２ローラ２０の中央を貫通して排出部１２の前面１２ａに突入し、排出部１２内で回転可能に保持される回転軸２６を有する。したがって、この実施形態では、第１ローラ１８が駆動ローラとなり、第２ローラ２０が従動ローラとなる。
【００１６】
図２（ａ）からわかるように、第１ローラ１８の回転軸２４と第２ローラ２０の回転軸２６とは水平に並び、第１ローラ１８と第２ローラ２０とは中心の高さが一致するように位置決めされる。第１ローラ１８の径は第２ローラ２０の径よりも大きいので、第１ローラ１８の頂部Ｔ１は第２ローラ２０の頂部Ｔ２よりも高くなる。言い換えれば、第２ローラ２０の頂部Ｔ２は第１ローラ１８の頂部Ｔ１よりも低くなる。
【００１７】
ベルト２２は、撓みのないように張力をもって第１ローラ１８から第２ローラ２０に掛け渡される。ベルト２２の上面２８は、排出部１２の前面１２ａに設けられる排出口１２ｂの下方に配置され、排出口１２ｂから落下するように排出されるプリントＰを受けて搬送する。第２ローラ２０の頂部Ｔ２が第１ローラ１８の頂部Ｔ１よりも低いので、プリントＰの搬送経路を構成する上面２８は上流側から下流側にかけて下方に傾斜する。
【００１８】
このように構成される搬送部１６では、排出部１２内に設けられるモータの駆動に伴って回転軸２４ひいては第１ローラ１８が矢印Ｂ方向に回転することによって、ベルト２２の上面２８が矢印Ａ１方向に送られ、第２ローラ２０が矢印Ｂ方向に回転する。
【００１９】
ついで、図２（ａ）および（ｂ）を参照して、このような写真処理装置１０におけるプリントＰの搬送態様について説明する。写真処理装置１０において、プリントＰは加熱・乾燥処理後に排出口１２ｂから排出される。このために、ベルト２２の上面２８へと落下するプリントＰは反っている（カールしている）ことがある。ここではプリントＰが下方に湾曲するように反っているものとする。また、排出口１２ｂ近傍には図示しないセンサが設けられており、当該センサがプリントＰを検出してから所定時間経過に第１ローラ１８の回転が開始されるものとする。つまり、ベルト２２の上面２８にプリントＰが着地した後にプリントＰの搬送が開始されるものとする。
【００２０】
図２（ａ）に示すように、ベルト２２の上面２８が上流側から下流側にかけて下方に傾斜しているので、着地直後のプリントＰは上面２８の傾斜に沿って下方に傾くように上面２８上に載置される。つまり、着地直後の状態においてプリントＰの重心はその中央よりも下流側の位置に設定される。
【００２１】
このように上面２８上に載置されたプリントＰには、矢印Ａ１方向への搬送開始に伴う加速によってその上流側端部を矢印Ａ１方向の反対方向（矢印Ａ２方向）に押す力が加えられる。これによって、図２（ｂ）に示すように、プリントＰの重心が下流側から中央やや上流側に移動し、プリントＰの姿勢が安定する。その後、プリントＰは、安定した姿勢で搬送され、上面２８上からソータ１４のトレイ１４ａ上に落下するように与えられる。
【００２２】
このような写真処理装置１０では、第１ローラ１８の径よりも第２ローラ２０の径を小さく設定しかつ第１ローラ１８の中心の高さと第２ローラ２０の中心の高さとを一致させることによって、ローラを揺動させずともベルト２２の上面２８を上流側から下流側にかけて下方に傾斜させることができる。したがって、簡単な構成でトレイ１４ａに与えられるプリントＰが裏表反転することを防止でき、装置のコストを削減できる。
【００２３】
また、第２ローラ２０の径を第１ローラ１８の径よりも小さく設定することによって、第１ローラ１８の中心の高さと第２ローラ２０の中心の高さとが一致する既存のローラの位置であってもベルト２２の上面２８を傾斜させることができる。したがって、既存の設計を変更することなく簡単にプリントＰの反転を防止できる。
【００２４】
また、ベルト２２の上面２８を傾斜させることによって安定した姿勢でプリントＰを搬送しその反転を防止できるので、プリントＰの搬送速度を速くでき、プリント作製処理に要する時間を短縮できる。
【００２５】
上面２８の傾斜角度は第１ローラ１８および第２ローラ２０の少なくともいずれか一方の径を変更することによって簡単に変更でき、プリントＰの反り具合に簡単に対応することができる。
【００２６】
なお、上述の実施形態では第１ローラ１８を駆動ローラとし第２ローラ２０を従動ローラとする場合について説明したが、これに限定されない。第１ローラ１８に代えて第２ローラ２０を駆動させるようにしてもよいし、第１ローラ１８と第２ローラ２０とを駆動させるようにしてもよい。
【００２７】
また、第２ローラの頂部が第１ローラの頂部よりも低く、ベルトの上面を上流側から下流側にかけて下方に傾斜させることができれば、第１ローラの中心と第２ローラの中心との位置関係および第１ローラの径と第２ローラの径との大小関係は任意に設定できる。
【００２８】
たとえば図３に示す搬送部１６ａのように、第１ローラ１８ａの中心の高さが第２ローラ２０ａの中心の高さよりも低くなるように回転軸２４ａと２６ａとを配置し、第２ローラ２０ａの頂部Ｔ２ａが第１ローラ１８ａの頂部Ｔ１ａよりも低くなるように第１ローラ１８ａの径と第２ローラ２０ａの径とを設定するようにしてもよい。これによっても、ベルト２２ａの上面２８ａを上流側から下流側にかけて下方に傾斜させることができる。
【００２９】
また、図４に示す搬送部１６ｂのように、同径の第１ローラ１８ｂと第２ローラ２０ｂとを用いて、第２ローラ２０ｂの中心が第１ローラ１８ｂの中心よりも低くなるように回転軸２４ａと２６ｂとを所定の位置に設け、第２ローラ２０ｂの頂部Ｔ２ｂが第１ローラ１８ｂの頂部Ｔ１ｂよりも低くなるようにしてもよい。これによっても、ベルト２２ｂの上面２８ｂを上流側から下流側にかけて下方に傾斜させることができる。この場合、第２ローラ２０ｂの中心が第１ローラ１８ｂの中心よりも低くなるように第１ローラ１８ｂと第２ローラ２０ｂとを予め位置決めするだけで、ローラを揺動させずともベルト２２ｂの上面２８ｂを傾斜させることができ、簡単な構成でプリントＰの反転を防止できる。
【００３０】
さらに、第２ローラの中心を第１ローラの中心よりも低くする場合、ベルトの上面を上流側から下流側にかけて下方に傾斜させることができる範囲において、第２ローラの径を第１ローラの径よりも大きく設定してもよい。
【図面の簡単な説明】
【００３１】
【図１】この発明の搬送装置の一例が適用される写真処理装置を示す斜視図解図である。
【図２】搬送部におけるプリントの搬送態様を示し、（ａ）は配置直後のプリントの状態を示し、（ｂ）は搬送が進んだプリントの状態を示す。
【図３】搬送部の他の例を示す側面図解図である。
【図４】搬送部のその他の例を示す側面図解図である。
【図５】従来技術の搬送装置におけるシート体の搬送態様を示し、（ａ）は配置直後のプリントの状態を示し、（ｂ）は搬送が進んだプリントの状態を示す。
【符号の説明】
【００３２】
１０      写真処理装置
１６，１６ａ，１６ｂ      搬送部
１８，１８ａ，１８ｂ      第１ローラ
２０，２０ａ，２０ｂ      第２ローラ
２２，２２ａ，２２ｂ      ベルト
２８，２８ａ，２８ｂ      上面
Ｐ      プリント
【図１】
2006327799.tif 000003
【図２】
2006327799.tif 000004
【図３】
2006327799.tif 000005
【図４】
2006327799.tif 000006
【図５】
2006327799.tif 000007